(57)【要約】      （修正有）【課題】好ましい結合効果を得る以外に、絶縁効果を有する絶縁カバーの工具スリーブを提供する。【解決手段】工具スリーブ１０の下筒１１は、上筒１２より大きく、下筒１１周辺は、スリーブ管２０を設置し、スリーブ管２０は必要に応じて各種形態に変化できる。熱圧縮機器の加圧により、熱圧縮スリーブ管２０を形成する。スリーブ管２０は熱加圧を受けて、縮小状態になり、工具スリーブ１０下筒１１の周辺壁面と緊密な結合を達成し、且つ、同時に、絶縁効果も有し、絶縁効果を有する。【選択図】図１
0003143978.tif 000002
【実用新案登録請求の範囲】
【請求項１】
絶縁カバーの工具スリーブであって、前記工具スリーブの下筒は、上筒より若干大きく、前記下筒周辺はスリーブ管を設置し、その特徴は、
前記スリーブ管は、熱圧縮機器により加圧され、前記スリーブ管が熱加圧を受けて、縮小状態になり、熱圧縮スリーブ管を形成し、前記スリーブの下筒周壁でしっかりと結合して、緊密な結合効果を達成すると共に、絶縁の使用効果を具備することを特徴とする絶縁カバーの工具スリーブ。
【請求項２】
前記スリーブ管は前記上筒と前記下筒に設置され、熱圧縮機器により加圧されて熱圧縮スリーブ管を形成し、前記スリーブ管は前記スリーブの前記上筒と前記下筒周辺壁面にしっかりと結合し、同時に、絶縁効果を有することを特徴とする請求項１に記載の絶縁カバーの工具スリーブ。    
【請求項３】
前記スリーブ管は、必要に応じて各種形態に変化し、スリーブの変化を提供することを特徴とする請求項１に記載の絶縁カバーの工具スリーブ。
【考案の詳細な説明】
【技術分野】
【０００１】
本考案は、絶縁カバーの工具スリーブに関するものであって、特に、熱圧縮機器により加圧して、スリーブ管が熱加圧を受け、熱圧縮スリーブ管を形成し、スリーブの下筒周壁にしっかりと結合できる絶縁カバーの工具スリーブに関する。
【背景技術】
【０００２】
図１１、図１２は、公知のスリーブ構造を示す図で、スリーブ４０は、下方に環槽４１を有し、環槽４１は識別リング５０を設置する。しかし、公知のスリーブ構造は、環槽４１を加工開設する必要があるので、加工コストが高い。更に、識別リング５０をスリーブ４０の環槽４１に設置する時、識別リング５０の長期使用、或いは、識別リング５０の交換で、結合度が緩くなり、スリーブ４０の環槽４１としっかり結合できなくなることが欠点である。
【考案の開示】
【考案が解決しようとする課題】
【０００３】
本考案の目的は、絶縁カバーの工具スリーブを提供し、上述の欠点を改善することにある。
【課題を解決するための手段】
【０００４】
本考案の絶縁カバーの工具スリーブは、熱圧縮機器によりスリーブ管に加圧し、スリーブ管が熱加圧を受けて、縮小状態になり、熱圧縮スリーブ管を形成し、スリーブの下筒周壁でしっかりと結合して、緊密な結合効果を達成すると共に、絶縁の使用効果を具備し、公知の識別リングが緊密な設置を提供できない欠点を改善する。
【考案の効果】
【０００５】
本考案の絶縁カバーの工具スリーブは、公知のスリーブの槽がないとスリーブ管を設置できない欠点を改善し、コストを減少させ、槽がなくてもスリーブの下筒にスリーブ管を緊密に結合し、同時に、絶縁効果を有し、好ましい工具スリーブの使用効果を達成する。
【考案を実施するための最良の形態】
【０００６】
図１〜図４は、本考案の絶縁カバーの工具スリーブを示す図で、工具スリーブ１０の下筒１１は、上筒１２より大きく、下筒１１周辺は、スリーブ管２０を設置し（図１、図２で示される）、スリーブ管２０は必要に応じて各種形態に変化できる。熱圧縮機器３０の加圧により、熱圧縮スリーブ管２０を形成する。スリーブ管２０は熱加圧を受けて、縮小状態になり、工具スリーブ１０下筒１１の周辺壁面にしっかりと結合し（図３、図４で示される）、熱圧縮スリーブ管２０の緊密な結合を達成し、且つ、同時に、絶縁効果も有し、絶縁効果を有する工具スリーブ構造が得られる。
【０００７】
図５、図６で示されるように、スリーブ管２０は工具スリーブ１０の下筒１１に設置され、熱圧縮機器３０により加圧され（図５で示される）、スリーブ管２０は熱加圧により縮小状態になり、熱圧縮スリーブ管２０を得る。この時、熱圧縮スリーブ管２０は、工具スリーブ１０下筒１１の周辺壁面にしっかりと結合され（図６で示される）、熱圧縮スリーブ管２０の緊密な結合効果を達成する以外に、熱圧縮管２０は絶縁効果を有する。
【０００８】
図7〜図１０は、本考案のもう一つの実施例による工具スリーブ１０を示す図で、スリーブ管２０’が工具スリーブ１０の下筒１１と上筒１２に設置され、熱圧縮機器により加圧し、スリーブ管２０’は熱加圧を受けて縮小状態になり、もう一種の熱圧縮スリーブ管２０’が完成する。この時、熱圧縮管２０’は、工具スリーブ１０下筒１１と上筒１２の周辺壁面に緊密に結合されて、熱圧縮スリーブ管２０’の緊密な結合効果を達成する以外に、熱スリーブ管２０’は、更に、絶縁効果を有する。
【０００９】
本考案の絶縁カバーの工具スリーブは、主に、熱圧縮機器によりスリーブ管が熱圧縮を受けて縮小状態になり、スリーブの下筒周壁に緊密に結合し、結合性に優れ、耐高電圧の熱圧縮スリーブ管を完成し、公知のスリーブの槽がないとスリーブ管を設置できない欠点を改善し、コストを減少させ、本考案のスリーブは槽がなくてもスリーブの下筒にスリーブ管を緊密に結合し、同時に、絶縁効果を有し、好ましい工具スリーブの使用効果を達成する。
【図面の簡単な説明】
【００１０】
【図１】本考案の立体外観図である。
【図２】本考案の立体分解図である。
【図３】本考案の組み合わせ断面図である。
【図４】本考案の組み合わせ断面図である。
【図５】本考案の実施例による組み合わせ図である。
【図６】図５の局部拡大図である。
【図７】本考案のもう一つの実施例の組み合わせ外観図である。
【図８】本考案のもう一つの実施例の組み合わせ分解図である。
【図９】本考案のもう一つの実施例の組み合わせ断面図である。
【図１０】本考案のもう一つの実施例の組み合わせ断面図である。
【図１１】公知のスリーブの組み合わせ分解図である。
【図１２】公知のスリーブの組み合わせ断面図である。
【符号の説明】
【００１１】
１０         工具スリーブ
１１         下筒
１２         上筒
２０、２０’  スリーブ管
３０         熱圧縮機器
４０         スリーブ
４１         環槽
５０         識別リング
【図１】
0003143978.tif 000003
【図２】
0003143978.tif 000004
【図３】
0003143978.tif 000005
【図４】
0003143978.tif 000006
【図５】
0003143978.tif 000007
【図６】
0003143978.tif 000008
【図７】
0003143978.tif 000009
【図８】
0003143978.tif 000010
【図９】
0003143978.tif 000011
【図１０】
0003143978.tif 000012
【図１１】
0003143978.tif 000013
【図１２】
0003143978.tif 000014
【手続補正書】
【提出日】平成20年6月4日(2008.6.4)
【手続補正１】
【補正対象書類名】実用新案登録請求の範囲
【補正対象項目名】全文
【補正方法】変更
【補正の内容】
【実用新案登録請求の範囲】
【請求項１】
絶縁カバーの工具スリーブであって、前記工具スリーブの下筒は、上筒より若干大きく、前記下筒周辺はスリーブ管を設置し、その特徴は、
前記スリーブ管は、熱圧縮機器により加圧され、前記スリーブ管が熱加圧を受けて、縮小状態になり、熱圧縮スリーブ管を形成し、前記スリーブの下筒周壁でしっかりと結合して、緊密な結合効果を達成すると共に、絶縁の使用効果を具備することを特徴とする絶縁カバーの工具スリーブ。
【請求項２】
前記スリーブ管は前記上筒と前記下筒に設置され、熱圧縮機器により加圧されて熱圧縮スリーブ管を形成し、前記スリーブ管は前記スリーブの前記上筒と前記下筒周辺壁面にしっかりと結合し、同時に、絶縁効果を有することを特徴とする請求項１に記載の絶縁カバーの工具スリーブ。